(57)【要約】      （修正有）【課題】測定回路基板の修理およびインストール作業を改善でき、検査修理の効率を大幅に高めることができるプログラム化可能交流電源分配器回路基板の固定構造を提供する。【解決手段】回路基板の固定構造は、回路制御ユニット１００を含み、回路制御ユニットを構成する測定回路基板４０が転送板２０に設置され、シャーシ内に固定板１０が設置され、転送板は接合杆６０で固定板に固定される。接合杆だけを解除すれば測定回路基板に接続されている固定板も解除できる。修理後再び測定回路基板をインストールする際には接合杆で転送板を固定板に固定させるだけでよい。【選択図】図３
0003227818.tif 000002
【実用新案登録請求の範囲】
【請求項１】
プログラム化可能交流電源分配器の回路基板の固定構造であって、
前記回路基板の固定構造は、回路制御ユニットを含み、
前記回路制御ユニットは、固定板、転送板、測定回路基板および接合杆を含み、前記固定板はシャーシ内に設置され、前記固定板の底部に第一固定部が設置され、前記固定板は前記シャーシの底部に固定され、前記固定板に前記転送部が設置され、前記転送板は、前記固定板の後側に固定され、前記転送板の上部に前記固定板の転送部に対応する接合部が設置され、測定回路基板は、前記転送板の前側に固定され、接合杆により、前記転送板の接合部が前記固定板の転送部に固定されてなることを特徴とするプログラム化可能交流電源分配器の回路基板の固定構造。
【請求項２】
前記プログラム化可能交流電源分配器の回路基板の固定構造において、前記転送部及び接合部は板状体であることを特徴とする請求項１に記載の固定構造。
【請求項３】
前記プログラム化可能交流電源分配器の回路基板の固定構造において、絶縁板は、前記転送板と前記測定回路基板との間に設置されることを特徴とする請求項１に記載の固定構造。
【請求項４】
前記プログラム化可能交流電源分配器の回路基板の固定構造において、前記転送板の前側に複数の突き出しが設置され、前記測定回路基板に前記突き出しに対応する複数の穿孔が設置され、複数の固定ボタンが前記穿孔に挿入され、前記測定回路基板が前記転送板の突き出しに固定されることを特徴とする請求項１に記載の固定構造。
【請求項５】
前記プログラム化可能交流電源分配器の回路基板の固定構造において、前記固定ボタンはボルトであり、前記突き出しは円筒体であり、前記突き出し内に螺合固定孔が設置されることを特徴とする請求項１に記載の固定構造。
【請求項６】
前記プログラム化可能交流電源分配器の回路基板の固定構造において、前記固定板の両側に別々に第二固定板が設置され、前記固定板が前記シャーシの両側に固定されることを特徴とする請求項１に記載の固定構造。
【請求項７】
前記プログラム化可能交流電源分配器の回路基板の固定構造において、前記接合杆はボルトであり、前記固定板の転送部には螺合固定孔が穿孔され、前記転送板の接合部には転送部に対応する螺合固定孔が穿孔されることを特徴とする請求項１に記載の固定構造。
【請求項８】
前記プログラム化可能交流電源分配器の回路基板の固定構造において、前記固定板に取り付け孔が設置され、前記転送板が対応する取り付け孔に取り付け片が設置され、前記取り付け片は取り付け孔に挿入されることを特徴とする請求項１に記載の固定構造。
【請求項９】
前記プログラム化可能交流電源分配器の回路基板の固定構造において、前記固定板に取り付け槽が穿孔され、前記取り付け槽に前記転送板の底部に設けられた前記取り付け片が挿入されることを特徴とする請求項１に記載の固定構造。
【考案の詳細な説明】
【技術分野】
【０００１】
本考案は、電源分配器の回路基板に関するものであり、さらに詳しくは、プログラム化可能交流電源分配器の回路基板の固定構造に関するものである。
【背景技術】
【０００２】
業界で工業4.0の「製造産業コンピューター化、デジタル化と知恵化」という方向性に向かうことに応じるため、本考案者は、プログラム化可能交流電源分配器を完成し、台湾、米国およびドイツ国に特許を出願した（台湾発明第I610507号であり、アメリカ発明第10063038号であり、ドイツ発明第102017008759号である）。
かかる発明の内容は、輸入電源の各データを監視可能とし、自動的に電源オンとオフの分配をコントロール可能とするものである。それを通じ人工検測で電源管理と監視の問題解消を図ることができ、電源品質を高めることと電源安全をコントロールすることができる。
【０００３】
しかし、前記プログラム化可能交流電源分配器の内部は、コントロール回路基板、バス組、電磁スイッチ等複数の電子部品が配置されたものであるが、そのなかで、測定回路基板は、直接パネルを連接し、前記パネルはシャーシを連接するため、仮に前記測定回路基板の修理が必要となれば、前記パネルを解体しなければならなくなり、前記パネルはシャーシと連接し分解しにくいので、修理することが難しくなる。本考案者は、前記の欠点を認識した上で、現在のプログラム化可能交流電源分配器を改善する必要があり、改善策が切望されてきた。
【考案の概要】
【考案が解決しようとする課題】
【０００４】
従って、本考案の課題は、回路基板の分解及びインストール作業を高効率なものに改善することが可能であり、回路基板の検査修理を効率で行うことができるプログラム化可能交流電源分配器の回路基板の固定構造を提供することにある。
【課題を解決するための手段】
【０００５】
そこで、本考案者は、本考案の課題を解決するために鋭意検討を重ねた結果、後述の如く、特定の回路制御ユニットが前記課題を解決できることに着目し、本考案に想到するに至った。
すなわち、前記の課題を達成するため、本考案から提供するプログラム化可能交流電源分配器の回路基板の固定構造は下記を含める。すなわち、パネルはシャーシ底部の前側に固定部を設置し、シャーシ上部の後側にスイッチ部を設置する。転送板の裏側は前記パネルの前側に置き、前記転送板上の後側に前記パネルに対応する転送部に接合部が設置される。測定回路基板；前記転送部に設置される。最低１の接合杆により、前記転送部の接合部が前記パネルの転送部に固定可能とされる。
【０００６】
かくして、本考案の要旨は、次の（１）〜（９）に記載の通りのものである。
【０００７】
（１）プログラム化可能交流電源分配器の回路基板の固定構造であって、
前記回路基板の固定構造は、回路制御ユニットを含み、
前記回路制御ユニットは、固定板、転送板、測定回路基板および接合杆を含み、前記固定板はシャーシ内に設置され、前記固定板の底部に第一固定部が設置され、前記固定板は前記シャーシの底部に固定され、前記固定板に前記転送部が設置され、前記転送板は、前記固定板の後側に固定され、前記転送板の上部に前記固定板の転送部に対応する接合部が設置され、測定回路基板は、前記転送板の前側に固定され、接合杆により、前記転送板の接合部が前記固定板の転送部に固定されてなることを特徴とするプログラム化可能交流電源分配器の回路基板の固定構造。
【０００８】
（２）前記プログラム化可能交流電源分配器の回路基板の固定構造において、前記転送部及び接合部は板状体であることを特徴とする前記（１）に記載の固定構造。
【０００９】
（３）前記プログラム化可能交流電源分配器の回路基板の固定構造において、絶縁板は、前記転送板と前記測定回路基板との間に設置されることを特徴とする前記（１）に記載の固定構造。
【００１０】
（４）前記プログラム化可能交流電源分配器の回路基板の固定構造において、前記転送板の前側に複数の突き出しが設置され、前記測定回路基板に前記突き出しに対応する複数の穿孔が設置され、複数の固定ボタンが前記穿孔に挿入され、前記測定回路基板が前記転送板の突き出しに固定されることを特徴とする前記（１）に記載の固定構造。
【００１１】
（５）前記プログラム化可能交流電源分配器の回路基板の固定構造において、前記固定ボタンはボルトであり、前記突き出しは円筒体であり、前記突き出し内に螺合固定孔が設置されることを特徴とする前記（１）に記載の固定構造。
【００１２】
（６）前記プログラム化可能交流電源分配器の回路基板の固定構造において、前記固定板の両側に別々に第二固定板が設置され、前記固定板が前記シャーシの両側に固定されることを特徴とする前記（１）に記載の固定構造。
【００１３】
（７）前記プログラム化可能交流電源分配器の回路基板の固定構造において、前記接合杆はボルトであり、前記固定板の転送部には螺合固定孔が穿孔され、前記転送板の接合部は転送部に対応する螺合固定孔が穿孔されることを特徴とする前記（１）に記載の固定構造。
【００１４】
（８）前記プログラム化可能交流電源分配器の回路基板の固定構造において、前記固定板に取り付け孔が設置され、前記転送板が対応する取り付け孔に取り付け片が設置され、前記取り付け片は取り付け孔に挿入されることを特徴とする前記（１）に記載の固定構造。
【００１５】
（９）前記プログラム化可能交流電源分配器の回路基板の固定構造において、前記固定板に取り付け槽が穿孔され、前記取り付け槽に前記転送板の底部に設けられた前記取り付け片が挿入されることを特徴とする前記（１）に記載の固定構造。
【考案の効果】
【００１６】
本考案により提供するプログラム化可能交流電源分配器の回路基板の固定構造は、前記接合杆を通じ迅速にかつ容易に測定回路基板の転送板がパネルに設置され、前記接合杆だけを解除すれば前記転送板を解除することができる。その上効率的に解体、測定回路基板をインストールの作業を改善でき、大幅に測定回路基板を検査修理の効率を高めることができる。
【図面の簡単な説明】
【００１７】
【図１】本考案の一実施形態に係る回路基板の固定構造を有するプログラム化可能交流電源分配器の斜視図である。
【図２】図１に示すプログラム化可能交流電源分配器の分解図である。
【図３】本考案の第一実施形態に係るプログラム化可能交流電源分配器の回路基板の固定構造の回路制御ユニットの分解図である。
【図４】本考案の第一実施形態に係るプログラム化可能交流電源分配器の回路基板の固定構造の回路制御ユニットの断面図である。
【図５】本考案の一実施形態に係るプログラム化可能交流電源分配器の回路基板の固定構造のシャーシ内から取り出された測定回路基板の斜視図である。
【図６】本考案の第二実施形態に係るプログラム化可能交流電源分配器の回路基板の固定構造の回路制御ユニットの分解図である。
【図７】本考案の第二実施形態に係るプログラム化可能交流電源分配器の回路基板の固定構造の回路制御ユニットの断面図である。
【考案を実施するための形態】
【００１８】
本考案に係る回路基板の固定構造を有するプログラム化可能交流電源分配器の斜視図及びその分解図である図１及び図２に示す通り、シャーシ９１０の上に蓋９１１が設置される。表示スクリーン９２０は、シャーシ９１０の前側に設置される。背板９４０は、前記シャーシ９１０の後側に設置され、前記背板９４０に出力端子９４１が設置される。バス組９５０は、前記表示スクリーン９２０と前記背板９４０の間に垂直に設置される。絶縁片９３０は、前記バス組９５０の裏側に設置される。複数の電流検知器９６０は、別々に前記バス組９５０に設置される。複数の電磁スイッチ９７０は、別々に前記バス組９５０の両側に設置される。インターネット連結及び各種電力パラメーター測定回路基板９８０は前記シャーシ９１０の片側に設置される。電源転換器９９０は、前記表示スクリーン９２０の後側に設置される。
【００１９】
本考案に係る回路基板の固定構造を有するプログラム化可能交流電源分配器の分解図、第一実施形態による測定回路基板を含む回路制御ユニットの分解図及び第一実施形態による測定回路基板を含む回路制御ユニットの断面図である図２、図３及び図４に示す通り、本考案の改善ポイントを示すものである。本考案は、回路制御ユニット１００を含み、前記表示スクリーン９２０と水平し、前記電源転換器９９０と絶縁片９３０との間に設置される。前記回路制御ユニット１００は下記を含める：
【００２０】
固定板１０は、前記電源転換器９９０と絶縁片９３０との間に設置され、前記固定板１０の底部に第一固定板１１が設置される。前記第一固定板１１は、前記シャーシ９１０の底面に固定できる。前記固定板１０の両側には、別々に第二固定板１２が設置される。前記第二固定板１２は、前記シャーシ９１０の側面に固定することができ、固定板１０の安定度を強化することができる。前記固定板１０の上面には転送部１３が設置される。前記転送部１３は、板状の形状であり、前記転送部１３には複数の螺合固定孔１３１が穿孔される。前記固定板１０の目側に複数の取り付け孔１５が設置される。前記固定板１０の表面に複数の散熱ファン１４が設置される。
【００２１】
転送板２０の後側は固定板１０の前側に寄り掛かる事が可能であり、前記転送板２０の上に前記固定板１０に対応する転送部１３に接合部２１が設置される。前記接合部２１は板状の形状であり、前記転送板２０は、固定板１０に固く固定される。前記接合部２１に対応する転送部１３の螺合固定孔１３１も複数の螺合固定孔２１１が設置される。前記転送板２０の底部に対応する取り付け孔１５の後ろに取り付け片２３が設置され、前記取り付け片２３は、転送板２０が、前記固定板１０に設置される際に取り付け孔１５に挿入され、転送板２０の固さを強化することができる。前記転送板２０の前側に複数の突き出し２２が設置され、前記突き出し２２は、円柱体であり、前記突き出し２２内に螺合固定孔２２１が設置される。
【００２２】
絶縁板３０は、前記転送板２０に設置される。前記絶縁板３０に対応する転送板２０の突き出し２２に複数の穿孔３１が設置され、前記突き出し２２が前記穿孔３１に挿入され、前記絶縁板３０に定位される。
【００２３】
測定回路基板４０は、前記絶縁板３０の前側に設置される。前記測定回路基板４０に対応する突き出し２２で複数の螺合固定孔４１に設置され、複数の固定ボタン５０を前記螺合固定孔４１に挿入し前記測定回路基板４０に前記転送板２０の前側の突き出し２２が固定される。
【００２４】
複数の接合杆６０は、前記転送板２０の接合部２１と前記固定板１０の転送部１３に固定される。本考案において、前記接合杆６０は、全部ボルトである。前記固定板１０の転送部１３に螺合固定孔１３１が設置され、前記転送板２０の接合部２１は対応する前記転送部１３の螺合固定孔１３１に螺合固定孔２１１を設置される。前記接合杆６０は順番通り前記接合部２１の螺合固定孔２１１と前記転送部１３の螺合固定孔１３１に入れ、前記転送板２０の接合部２１を前記接合杆６０で前記固定板１０の転送部１３に固定される。
【００２５】
更に、本考案に係る回路基板の固定構造上の特徴、運用技術及び予想効果を理解するため、本考案の操作方法について更に詳しく述べることにより、本考案について、さらに深く具体的に理解することができる。
【００２６】
シャーシ内から取られる測定回路基板の立体図である図５に示す通り、プログラム化可能交流電源分配器回路基板の測定回路基板４０を検査修理する際に、シャーシ９１０の蓋９１１だけを取り外すことにより、直接前記接合杆６０を解除することができる。前記回路制御ユニット１００は、垂直に前記シャーシ９１０内に設置され、前記接合杆６０は前記回路制御ユニット１００の最も上部に設置されるので、前記蓋９１１を取り外すことにより、接合杆６０は容易に解除することができる。前記接合杆６０を解除し、前記転送板２０を引き出すことにより、前記転送板２０に固定される測定回路基板４０を検査修理することができる。前記測定回路基板４０の検査修理を完成し、前記転送板２０は前記シャーシ９１０に入れられ、前記固定板１０に取り付けられれば、前記接合杆６０で前記測定回路基板４０の転送板２０は前記固定板１０に固定される。かかる操作を通じ、効率的に、測定回路基板４０の取り外しおよびインストールの作業を改善することができ、大幅に測定回路基板４０の検査修理の効率を高めることができる。
【００２７】
本考案の第二実施形態による測定回路基板構造の分解図及び断面図である図６及び図７に示す通り、本考案の第二実施形態に係る回路制御ユニットの固定構造の本考案の第一実施形態との相違は、下記の通りである。
【００２８】
前記転送板８０の底部に取り付け構造が設置されてなく、前記固定板７０の前側に対応する前記転送板８０の底部に複数の取り付け槽７５が設置され、前記転送板８０の底部が前記取り付け槽７５に挿入される。前記取り付け槽７５は、上部片７５１及び制限片７５２を含み、前記上部片７５１は、前記固定板７０を前方に突き、転送板８０の底部と接触する。前記上部片７５１末端の上部に制限片７５２が設置され、前記転送板８０と上部片７５１が接触する際に、前記転送板８０が制限片７５２及び前記固定板７０との間に制限され、転送板８０の固さを強化することができる。
【００２９】
前記した本考案の実施形態は本考案を限定するものではなく、よって、本考案により保護される範囲は実用新案登録請求の範囲を基準とする。
【符号の説明】
【００３０】
１００  回路制御ユニット
１０  固定板
１１  第一固定部
１２  第二固定部
１３  転送部
１３１  螺合固定孔
１４  散熱ファン
１５  取り付け孔
２０  転送板
２１  接合部
２１１  螺合固定孔
２２  突き出し
２２１  螺合固定孔
２３  取り付け片
３０  絶縁板
３１  穿孔
４０  測定回路基板
４１  螺合固定孔
５０  固定ボタン
６０  接合杆
７０  固定板
７１  第一固定部
７２  第二固定部
７３  転送部
７３１  螺合固定孔
７４  散熱ファン
７５  取り付け槽
７５１  上部片
７５２  制限片
８０  転送板
８１  接合部
８１１  螺合固定孔
８２  突き出し
８２１  螺合固定孔
９１０  シャーシ
９１１  蓋
９２０  表示スクリーン
９３０  絶縁片
９４０  背板
９４１  出力端子
９５０  バス組
９６０  電流検知器
９７０  電磁スイッチ
９８０  インターネット連結及び各種電力パラメーター測定回路基板
９９０  電源転換器
【図１】
0003227818.tif 000003
【図２】
0003227818.tif 000004
【図３】
0003227818.tif 000005
【図４】
0003227818.tif 000006
【図５】
0003227818.tif 000007
【図６】
0003227818.tif 000008
【図７】
0003227818.tif 000009
【手続補正書】
【提出日】令和2年6月15日(2020.6.15)
【手続補正１】
【補正対象書類名】実用新案登録請求の範囲
【補正対象項目名】全文
【補正方法】変更
【補正の内容】
【実用新案登録請求の範囲】
【請求項１】
プログラム化可能交流電源分配器の回路基板の固定構造であって、
前記回路基板の固定構造は、回路制御ユニットを含み、
前記回路制御ユニットは、固定板、転送板、測定回路基板および接合杆を含み、前記固定板はシャーシ内に設置され、前記固定板の底部に第一固定部が設置され、前記固定板は前記シャーシの底部に固定され、前記固定板に転送部が設置され、前記転送板は、前記固定板の後側に固定され、前記転送板の上部に前記固定板の転送部に対応する接合部が設置され、測定回路基板は、前記転送板の前側に固定され、接合杆により、前記転送板の接合部が前記固定板の転送部に固定されてなることを特徴とするプログラム化可能交流電源分配器の回路基板の固定構造。
【請求項２】
前記プログラム化可能交流電源分配器の回路基板の固定構造において、前記転送部及び接合部は板状体であることを特徴とする請求項１に記載の固定構造。
【請求項３】
前記プログラム化可能交流電源分配器の回路基板の固定構造において、絶縁板は、前記転送板と前記測定回路基板との間に設置されることを特徴とする請求項１に記載の固定構造。
【請求項４】
前記プログラム化可能交流電源分配器の回路基板の固定構造において、前記転送板の前側に複数の突き出しが設置され、前記測定回路基板に前記突き出しに対応する複数の穿孔が設置され、複数の固定ボタンが前記穿孔に挿入され、前記測定回路基板が前記転送板の突き出しに固定されることを特徴とする請求項１に記載の固定構造。
【請求項５】
前記プログラム化可能交流電源分配器の回路基板の固定構造において、固定ボタンはボルトであり、突き出しは円筒体であり、前記突き出し内に螺合固定孔が設置されることを特徴とする請求項１に記載の固定構造。
【請求項６】
前記プログラム化可能交流電源分配器の回路基板の固定構造において、前記固定板の両側に別々に第二固定板が設置され、前記固定板が前記シャーシの両側に固定されることを特徴とする請求項１に記載の固定構造。
【請求項７】
前記プログラム化可能交流電源分配器の回路基板の固定構造において、前記接合杆はボルトであり、前記固定板の転送部には螺合固定孔が穿孔され、前記転送板の接合部には転送部に対応する螺合固定孔が穿孔されることを特徴とする請求項１に記載の固定構造。
【請求項８】
前記プログラム化可能交流電源分配器の回路基板の固定構造において、前記固定板に取り付け孔が設置され、前記転送板が対応する取り付け孔に取り付け片が設置され、前記取り付け片は取り付け孔に挿入されることを特徴とする請求項１に記載の固定構造。
【請求項９】
前記プログラム化可能交流電源分配器の回路基板の固定構造において、前記固定板に取り付け槽が穿孔され、前記取り付け槽に前記転送板の底部に設けられた前記取り付け片が挿入されることを特徴とする請求項１に記載の固定構造。
【手続補正２】
【補正対象書類名】明細書
【補正対象項目名】０００７
【補正方法】変更
【補正の内容】
【０００７】
（１）プログラム化可能交流電源分配器の回路基板の固定構造であって、
前記回路基板の固定構造は、回路制御ユニットを含み、
前記回路制御ユニットは、固定板、転送板、測定回路基板および接合杆を含み、前記固定板はシャーシ内に設置され、前記固定板の底部に第一固定部が設置され、前記固定板は前記シャーシの底部に固定され、前記固定板に前記転送部が設置され、転送板は、前記固定板の後側に固定され、前記転送板の上部に前記固定板の転送部に対応する接合部が設置され、測定回路基板は、前記転送板の前側に固定され、接合杆により、前記転送板の接合部が前記固定板の転送部に固定されてなることを特徴とするプログラム化可能交流電源分配器の回路基板の固定構造。
【手続補正３】
【補正対象書類名】明細書
【補正対象項目名】００１１
【補正方法】変更
【補正の内容】
【００１１】
（５）前記プログラム化可能交流電源分配器の回路基板の固定構造において、固定ボタンはボルトであり、突き出しは円筒体であり、前記突き出し内に螺合固定孔が設置されることを特徴とする前記（１）に記載の固定構造。